(57)【要約】低周波数及び中間周波数を用いた電気療法装置が開示される。本発明の電気療法装置においては、ユーザーは、要求に応じて低及び中間出力モードの一方を選択し、導電性ゴム製の正及び負の電極が設けられ、また真空カップは人体に取り付けられる。従って、本発明の電気療法装置は半永久的に用いることができ、不快な効果は抑えられ、所望の効果は最大化され得る。（図２）
2006513751.tif 000002
【特許請求の範囲】
【請求項１】
人体に取り付けるようにされた真空カップ（１０）と；
真空カップ（１０）の上方部分に接続されたハウジング（２０）と；
真空カップ（１０）とハウジング（２０）とを接続するようにされた接続部材（３０）と；
ハウジング（２０）内に収容され、センサー（４１）及びマイクロコンピュータ（４３０）を含む回路を備えた回路ボード上に設けられた周波数発生装置（４０）と；
ばね（Ｓ１）、（Ｓ２）で支持される真空カップに収容され、上昇したり降下するように作動されながら人体に接触するようにされた負及び正の電極板（５０）、（５１）と；
周波数発生装置（４０）及びばね（Ｓ１）、（Ｓ２）に接続されて、負及び正の電極板（５０）、（５１）に周波数を出力する接続端子（６０）、（６１）と；
処理中周波数発生装置（４０）を作動するようにセンサー（４１）に接続されることになる真空カップ（１０）に設けた接続端子（７０）と；
周波数発生装置（４０）をワイヤレスで制御するようにされた遠隔制御装置（８０）と；
を有して成る低及び中間周波数を用いた電気療法装置。
【請求項２】
負及び正の電極板（５０）、（５１）が絶縁プレート（５２０）を介して互いに接続され、また固定突起部（５００）、（５１０）を備え、これらの固定突起部（５００）、（５１０）にばね（Ｓ１）、（Ｓ２）がそれぞれ固定される請求項１に記載の電気療法装置。
【請求項３】
ばね（Ｓ１）、（Ｓ２）がコイルばねから成り、ばね（Ｓ１）、（Ｓ２）の各々の直径が上方及び下方端部から中央部分に向う方向に増大している請求項１に記載の電気療法装置。
【請求項４】
周波数発生装置（４０）が、
遠隔制御装置（８０）の制御信号を受信する受信ユニット（４１０）と；
電流の大きさを検出し、負及び正の電極板（５０）、（５１）が人体から取外されることを確認する電流検出ユニット（４２０）と；
電流検出ユニット（４２０）の信号に応じて電力を遮断し、そして受信ユニット（４１０）の制御信号に応じて出力周波数及び電圧を制御するマイクロコンピュータ（４３０）と；
マイクロコンピュータ（４３０）の内部プログラムに従って、中間周波数を低周波数にのせるようにして変調され出力される低周波数及び中間周波数を増幅する周波数調整ユニット（４４０）と；
周波数調整ユニット（４４０）で増幅した低周波数及び中間周波数を出力する周波数出力ユニット（４５０）と；
を備えている請求項１に記載の電気療法装置。
【請求項５】
周波数出力ユニット（４５０）が、低周波数及び中間周波数を、周波数調整ユニット（４４０）を通る際に２５０Ｖの電圧にブーストし、トランジスタ（Ｔ３）〜（Ｔ６）及び抵抗（Ｒ３）〜（Ｒ６）から成るフリップフロップ回路を通過する際に交互に出力させ、また
交互に出力する低周波数及び中間周波数が、出力トランジスタ（ＴＲ７）、（ＴＲ８）を通り、そして負及び正の電極板（５０）、（５１）に交互に供給される請求項４に記載の電気療法装置。
【請求項６】
電流検出ユニット（４２０）は、それの信号トランジスタ（ＴＲ９）を周波数出力ユニット（４５０）のトランジスタ（ＴＲ５）のコレクタに接続し、それにより低周波数及び中間周波数が出力される際には“Ｈ”、 “Ｌ” が繰り返して検出され、低周波数及び中間周波数が出力されない際には“Ｈ” のみが検出され、そして検出の結果がマイクロコンピュータ（４３０）のセンサー入力端子（センサー）に伝送される構成されている請求項４に記載の電気療法装置。
【発明の詳細な説明】
【技術分野】
【０００１】
本発明は、一般には低周波数及び中間周波数を用いた電気療法装置に関し、そして特にユーザーの要求に応じて中間周波数を低周波数にのせるようにして変調した低周波数及び中間周波数を出力し、そして空気圧搾を用いて人体に装着するようにされた低周波数及び中間周波数を用いた電気療法装置に関する。
【背景技術】
【０００２】
一般に、電気療法は１Ｈｚ〜３００Ｈｚの低周波数を用いている。低周波数電気療法装置は人の皮膚を刺激し、マッサージ効果を示すように期待される。従って、低周波電気療法装置は、運動の後筋肉痛となった人、長距離運転による首や腕或いは脚の痛みを感じている人、或いは過敏症による不眠症である人の疲労を回復するために有効に用いられてきた。
【０００３】
普通の電気療法装置は、電極パッドを用いて人体に取り付けられるが、電極パッドは使い捨てであり、かかる電極パッドの使用は、何回か使用していると接着力が低下するので電極パッドを新しいものに交換する必要があり、不便である。さらに、電極パッドを人体から取りはずす際に、電極パッドによりユーザーは人体に対する刺激のため過敏症となるだけでなく、毛根が引っ張られる現象のためかなりの拒絶反応が生じる。
【０００４】
さらに、従来の電気療法装置は、その効果がマッサージに限られる低周波数のみを用いているので、広範囲の処理効果を期待するのは困難であった。
【発明の開示】
【発明が解決しようとする課題】
【０００５】
そこで、本発明は、従来技術において生じる上記の問題点に鑑みてなされ、そして本発明の目的は、中間周波数を低周波数にのせるようにして変調される低周波数及び中間周波数の要求に関連してユーザーの選択した周波数を用いて処置を行うことができ、しかもアレルギーのような悪い影響なしに空気圧搾を用いて人体に装着でき、さらに寿命の長い低周波数及び中間周波数を用いた電気療法装置を提供することにある。
【課題を解決するための手段】
【０００６】
上記の目的は、東洋医療器具である覆いガラスの効果をもたらし得る空気圧搾法を用いて、及び人体に接触する電極パッドとして導電性ゴムを用いて、人体に低周波数及び中間周波数を出力する電気療法装置を取り付けることにより達成できる。
【０００７】
添付図面を参照して低周波数及び中間周波数を用いた電気療法装置の技術的構成について以下説明する。
【０００８】
上記の目的を達成するために、本発明は、人体に取り付けるようにされた真空カップ１０と、真空カップ１０の上方部分に接続されたハウジング２０と、真空カップ１０とハウジング２０とを接続するようにされた接続部材３０と、ハウジング２０内に収容され、センサー４１及びマイクロコンピュータ４３０を含む回路を備えた回路ボード上に設けられた周波数発生装置４０と、ばねＳ１、Ｓ２で支持される真空カップ１０に収容され、上昇したり降下するように作動される際に人体に接触するようにされた負及び正の電極板５０、５１と、周波数発生装置４０及びばねＳ１、Ｓ２に接続されて、負及び正の電極板５０、５１に周波数を出力する接続端子６０、６１と、処置中周波数発生装置４０を作動するようにセンサー４１に接続されることになる真空カップ１０に設けた接続端子７０と、周波数発生装置４０をワイヤレスで制御するようにされた遠隔制御装置８０とを有して成る低及び中間周波数を用いた電気療法装置を提供する。
【０００９】
この場合、負及び正の電極板５０、５１は、絶縁プレート５２０を介して互いに接続され得、また固定突起部５００、５１０を備え、これらの固定突起部５００、５１０に、ばねＳ１、Ｓ２がそれぞれ固定される。
【００１０】
ばねＳ１、Ｓ２はコイルばねから成ることができ、ばねＳ１、Ｓ２の各々の直径は上方及び下方端部から中央部分に向う方向に増大し得る。
【００１１】
周波数発生装置４０は、遠隔制御装置８０の制御信号を受信する受信ユニット４１０と、電流の大きさを検出し、負及び正の電極板５０、５１が人体から取外されることを確認する電流検出ユニット４２０と、電流検出ユニット４２０の信号に応じて電力を遮断し、そして受信ユニット４１０の制御信号に応じて出力周波数及び電圧を制御するマイクロコンピュータ４３０と、マイクロコンピュータ４３０の内部プログラムに従って、中間周波数を低周波数にのせるようにして変調され出力される低周波数及び中間周波数を増幅する周波数調整ユニット４４０と、周波数調整ユニット４４０で増幅した低周波数及び中間周波数を出力する周波数出力ユニット４５０とを備え得る。
【発明を実施するための最良の形態】
【００１２】
図１は、本発明による低周波数及び中間周波数を用いた電気療法装置の斜視図である。
【００１３】
図１は、ユーザーがオフスイッチ“ｏｆｆ”及びその他のスイッチ８１〜８５を用いて選択した信号を入力できる遠隔制御装置８０、及び低周波数及び中間周波数を用いた電気療法装置１００を示し、電気療法装置１００は、遠隔制御装置８０から受けた制御信号に応答して低周波数に中間周波数をのせるようにして変調した低周波数及び中間周波数を出力する。
【００１４】
図２には、本発明の電機療法装置の長手方向断面図である。
【００１５】
本発明の電機療法装置１００は、人体に装着される真空カップ１０と、真空カップ１０の上方部分に接続したハウジング２０と、真空カップ１０及びハウジング２０を接続するようにされた接続部材３０と、ハウジング３０内に収容され、センサー４１及びマイクロコンピュータ４３０をふくむ印刷回路ボードにおける周波数発声装置４０と、真空カップ１０内に収容され、ばねＳ１、Ｓ２で支持するようにされ、しかも昇降動作中に人体と接触するようにされた負及び正の電極板５０、５１と、周波数発生装置４０及びばねＳ１、Ｓ２に接続され、負及び正の電極板５０、５１に周波数を出力するように接続端子６０、６１と、真空カップ１０に配置され、処置時に周波数発生装置４０を作動するようにセンサー４０に接続される接触端子７０とを有している。
【００１６】
真空カップ１０は抗菌ゴムから成り、人体に衛生的に取付けるようにされている。
【００１７】
ハウジング２０は、バッテリー２００及び周波数発生装置４０を内蔵した上方ハウジング２１０を下方ハウジング２２０に結合することによって形成される。
【００１８】
上方ハウジング２１０は、内臓のバッテリー２００を取外すため一部にカバー２３０を備えている。
【００１９】
接続部材３０は、真空カップ１０とハウジング２０とを接続するため、接続部品３１と固定部品３２とを備えている。
【００２０】
負及び正の電極板５０、５１は、絶縁プレート５２０を介して互いに接続され、そして固定突起部５００、５１０を備え、これらの固定突起部５００、５１０にばねＳ１、Ｓ２がそれぞれ固定される。
【００２１】
ばねＳ１、Ｓ２は、電気療法装置が皮膚に密に接触できるようにコイルばねから成っている。さらに、ばねＳ１、Ｓ２は、ばねＳ１、Ｓ２の各々の直径がそれの上方及び下方端部から中央部分に向う方向に増大するように構成され、それによりばねＳ１、Ｓ２は湾曲せずに、それの空気接触部分を増やすことができ、従ってそれの粘着力が増大される。
【００２２】
図３は、本発明の負及び正の電極板を示す斜視図である。
【００２３】
負及び正の電極板５０、５１は人体に種々の周波数を加え、絶縁プレート５２０を介して互いに接続され、またばねＳ１、Ｓ２をそれぞれ接続できる固定突起部５００、５１０を備えている。
【００２４】
さらに、負及び正の電極板５０、５１は導電性ゴム（珪素）から成り、抗菌性に処理されている。従って、負及び正の電極板５０、５１は清潔でしかも半永久的に使用することができ、そして人体の湾曲した部位にたわみ性をもって取付けできる。
【００２５】
図４は、本発明の周波数発生装置のブロック線図である。
【００２６】
図４に示すように、周波数発生装置４０は、遠隔制御装置８０の信号を受ける受信ユニット４１０と、電流の大きさをモニターして負及び正の電極板５０、５１が人体から分離されることを確認する電流検出ユニット４２０と、電流検出ユニット４２０の信号に応じて電力を遮断し、そして受信ユニット４１０からの信号に応じて出力周波数及び電圧を制御するマイクロコンピュータ４３０と、マイクロコンピュータ４３０の内部プログラムによって中間周波数を低周波数にのせるようにして変調される低周波数及び中間周波数を増幅する周波数調整ユニット４４０と、周波数調整ユニット４４０で増幅された低周波数及び中間周波数を出力する周波数出力ユニット４５０とを有している。
【００２７】
受信ユニット４１０は、ユーザーによって入力され、そして遠隔制御装置８０を介して伝送される選択された信号を受ける。
【００２８】
電気療法装置１００が人体に存在している微小電流を用いて療法を実施することに基いて、電流検出ユニット４２０は電流をモニターし、そして電気療法装置１００が人体から分離されるので、電流の変化した時に電気療法装置１００が人体から分離されることをマイクロコンピュータ４３０に伝える。
【００２９】
マイクロコンピュータ４３０は、電流検出ユニット４２０の信号に応じて、本発明の周波数発生装置４０への電力供給を遮断する。さらに、受信ユニット４１０からの信号に応じて、マイクロコンピュータ４３０は電力を遮断するか又は、予定の入力プログラムに従って規則的な周期では人体に衝撃を与えないように中間周波数を低周波数にのせるようにして変調される低周波数及び中間周波数を出力する。
【００３０】
周波数調整ユニット４４０は、マイクロコンピュータ４３０からの低周波数及び中間周波数出力の電圧値を増幅する。
【００３１】
周波数出力ユニット４５０は、マイクロコンピュータ４３０から周波数調整ユニット４４０を介して伝送される低周波数及び中間周波数を、それぞれ接続端子６０、６１を介して負及び正の電極板５０、５１に選択的に伝送する。
【００３２】
図５及び図６は、本発明の周波数発生装置の構成を詳細に示す図である。
【００３３】
接点すなわち接続端子７０によってオン状態にされるセンサー４１によって、トランジスタＴＲ１は導通され、動作電力ＶｃｃはコンデンサＣ１に充電され、そしてコンデンサＣ１から放電され、コンデンサＣ１及び抵抗Ｒ１から成る定数装置４３１を通過する。
【００３４】
単にトランジスタＴＲ１が導通する時のみ“Ｌ”値をもつ単一パルスはマイクロコンピュータ４３０に加えられ、それによりマイクロコンピュータ４３０は待機モードとなる。
【００３５】
この場合、待機モードのマイクロコンピュータ４３０は、受信ユニット４１０を介して遠隔制御装置８０から信号入力があるかどうかを検出する。検出の結果、数秒間受信ユニット４１０への信号入力がない場合には、マイクロコンピュータ４３０は休止モードに入り、バッテリー２００の消費を低減する。
【００３６】
待機モードから休止モードへ戻すには、接続端子７０を一度押して、マイクロコンピュータ４３０に別の単一パルスを加える必要がある。
【００３７】
マイクロコンピュータ４３０が待機モードにある場合に、マイクロコンピュータ４３０は、発光ダイオードＬＥＤ１を点滅することによって、遠隔制御装置８０から信号を受けることのできる状態の範囲外であることを知らせる。
【００３８】
待機モードにあるマイクロコンピュータ４３０は、ユーザーの選択に基いた信号が、バッテリー２００の電力で給電しながら、遠隔制御装置８０を介して入力されるどうかをモニターする。
【００３９】
検出の結果、遠隔制御装置８０を介して信号入力がある場合には、マイクロコンピュータ４３０は、オフスイッチ“ｏｆｆ”及びその他のスイッチ８１〜８５のどれが信号を選択するのに用いられるかを決める。
【００４０】
遠隔制御装置８０には、オフスイッチ“ｏｆｆ”、ある一定の時間、０．６〜９９９９Ｈｚの周波数帯域、１０〜４７Ｖの電圧及び６．３〜１０．５ｍＡの電流をもつ第１モード波形の中間周波数の発生を選択する第１スイッチ８１、ある一定の時間、２〜９９９９Ｈｚの周波数帯域、９〜３５Ｖの電圧及び６．４〜１０ｍＡの電流をもつ第２モード波形の中間周波数の発生を選択する第２スイッチ８２、ある一定の時間、２〜９９９Ｈｚの周波数帯域、１０〜４５Ｖの電圧及び６〜８．３ｍＡの電流をもつ第３モード波形の低周波数の発生を選択する第３スイッチ８３、ある一定の時間、０．６〜９９９Ｈｚの周波数帯域、１５〜５８Ｖの電圧及び６〜１０．２ｍＡの電流をもつ第４モード波形の低周波数の発生を選択する第４スイッチ８４、及び３０分間、１〜９９９Ｈｚの周波数帯域、２５〜５１Ｖの電圧及び６．４〜１０ｍＡの電流をもつ電気−鍼療法モード波形の低周波数の発生を選択するＡＵスイッチ８５が設けられる。ユーザーは、遠隔制御装置８０を用いて上記のスイッチを操作することにより五つのモードを任意に選択することができ、第１及び第２モードを繰り返し実施できる第５モード、第３及び第４モードを繰り返し実施できる第６モード、及び第１、第３及びＡＵスイッチ８１、８３、８５それぞれ約３分間押して第３と第１モード及び第４と第２モードを繰り返し実施できるＡＵモードを選択することができる。
【００４１】
発振器４３２から伝送されるクロックパルスによって、マイクロコンピュータ４３０は、中間周波数を低周波数にのせるようにして変調される低周波数及び中間周波数信号をパルス出力端子に出力する。
【００４２】
パルス出力端子を介しての変調低周波数及び中間周波数信号出力は、トランジスタＴＲ２と、抵抗Ｒ２と、コンデンサＣ２と、インダクターＬ１とから成る周波数調整ユニット４４０を通して６Ｖから２５０Ｖの電圧に昇圧される。
【００４３】
２５０Ｖに昇圧される低周波数及び中間周波数信号は、トランジスタＴＲ３〜ＴＲ６及び抵抗Ｒ３〜Ｒ６から成るフリップフロップ回路である周波数出力ユニット４５０を介して交互に出力される。
【００４４】
低周波数及び中間周波数は、それぞれ出力トランジスタＴＲ７、ＴＲ８を介して負および正の電極板５０、５１に交互に供給される。
【００４５】
フリップフロップ回路である周波数出力ユニット４５０の共通接点に接続した発光ダイオードＬＥＤ２の明滅により、低周波数及び中間周波数が出力されるかどうかを知るようにされる。
【００４６】
トランジスタＴＲ５のコレクタに接続された電流検出ユニット４２０の信号検出トランジスタＴＲ９において、低周波数及び中間周波数が出力される際に、“Ｈ”及び“Ｌ”が繰り返し検出され、また低周波数及び中間周波数が出力されない際には、“Ｈ”のみが連続して検出される。従って、マイクロコンピュータ４３０のセンサー入力端子（センサー）に伝送される“Ｈ”及び“Ｌ”の上記検出に基いて、マイクロコンピュータ４３０は、本発明の電気療法装置１００が人体に取り付けられて用いられているかどうかを決めることができる。
【００４７】
図７は、人体に取り付けた状態で、本発明の電気療法装置の使用を示す斜視図である。
【００４８】
図７に示すように、本発明の多数の電気療法装置１００は広領域を処置するのに用いられ得る。
【００４９】
本発明による低周波数及び中間周波数を用いた電気療法装置の動作について以下説明する。
【００５０】
本発明の電気療法装置１００は人体に取り付けられる。
【００５１】
本発明の電気療法装置１００が圧力で人体に取り付けられると、空気はゴム材料から成る真空カ
ップ１０によって加圧され、こうして電気療法装置は取り付けられる。
【００５２】
電気療法装置１００が取り付けられると、空気圧により真空カップ１０は収縮し、接続端子７０は真空カップ１０の収縮によりセンサー４１に接続される。
【００５３】
一度接続端子７０をセンサー４１に接触させると、電気療法装置１００の周波数発生装置４０に電力が供給され、そして周波数発生装置４０は待機モードになり、遠隔制御装置８０の制御信号を待つ。
【００５４】
ユーザーは遠隔制御装置８０を用いて出力周波数を選択できる。この目的で、スイッチ８１〜８５を用いて、遠隔制御装置８０によりユーザーは、低周波数及び中間周波数の周波数帯域を選択し、出力する第１〜第４モード及び電気鍼療モードを随意に選択することができ、或いは第１〜第４モードを繰り返し行う第５〜第８モードを選択することができる。
【００５５】
遠隔制御装置８０は、周波数発生装置４０に供給される電力を遮断するオフスイッチ“ｏｆｆ”を備えている。
【００５６】
すなわち、遠隔制御装置８０には、オフスイッチ“ｏｆｆ”、ある一定の時間、０．６〜９９９９Ｈｚの周波数帯域、１０〜４７Ｖの電圧及び６．３〜１０．５ｍＡの電流をもつ第１モード波形の中間周波数の発生を選択する第１スイッチ８１、ある一定の時間、２〜９９９９Ｈｚの周波数帯域、９〜３５Ｖの電圧及び６．４〜１０ｍＡの電流をもつ第２モード波形の中間周波数の発生を選択する第２スイッチ８２、ある一定の時間、２〜９９９Ｈｚの周波数帯域、１０〜４５Ｖの電圧及び６〜８．３ｍＡの電流をもつ第３モード波形の低周波数の発生を選択する第３スイッチ８３、ある一定の時間、０．６〜９９９Ｈｚの周波数帯域、１５〜５８Ｖの電圧及び６〜１０．２ｍＡの電流をもつ第４モード波形の低周波数の発生を選択する第４スイッチ８４、及び３０分間、１〜９９９Ｈｚの周波数帯域、２５〜５１Ｖの電圧及び６．４〜１０ｍＡの電流をもつ電気−鍼療法モード波形の低周波数の発生を選択するＡＵスイッチ８５が設けられる。ユーザーは、遠隔制御装置８０を用いて上記のスイッチを操作することにより五つのモードを任意に選択することができ、第１及び第２モードを繰り返し実施できる第５モード、第３及び第４モードを繰り返し実施できる第６モード、及び第１、第３及びＡＵスイッチ８１、８３、８５それぞれ約３分間押して第３と第１モード及び第４と第２モードを繰り返し実施できるＡＵモードを選択することができる。
【００５７】
電気療法装置が人体に取り付けられ、そして電気療法装置１００から低周波数及び中間周波数が出力されると、人体に微小電流が流れる。
【００５８】
電気療法装置１００が人体が外されると、電気療法装置１００が作動していても微小電流は流れない。
【００５９】
電気療法装置１００が人体が外されると、周波数発生装置４０の電流検出ユニット４２０は、微小電流がトランジスタＴＲ９に流れず、マイクロコンピュータ４３０のセンサー入力端子（センサー）に信号を伝送することを検出し、それにより、電力は遮断され、低周波数及び中間周波数はさらには出力されない。
【００６０】
さらに、遠隔制御装置８０のオフスイッチを押すことにより、ユーザーは電力を遮断し、電気療法装置１００を待機モードに設定する。
【００６１】
接点すなわち接続端子７０によってオン状態にされるセンサー４１によって、トランジスタＴＲ１は導通され、動作電力ＶｃｃはコンデンサＣ１に充電され、そしてコンデンサＣ１から放電され、コンデンサＣ１及び抵抗Ｒ１から成る定数装置４３１を通過する。
【００６２】
単にトランジスタＴＲ１が導通する時のみ“Ｌ”値をもつ単一パルスはマイクロコンピュータ４３０に加えられ、それによりマイクロコンピュータ４３０は待機モードとなる。
【００６３】
この場合、待機モードのマイクロコンピュータ４３０は、受信ユニット４１０を介して遠隔制御装置８０から信号入力があるかどうかを検出する。検出の結果、３０秒間受信ユニット４１０への信号入力がない場合には、マイクロコンピュータ４３０は休止モードに入り、バッテリー２００の消費を低減する。
【００６４】
待機モードから休止モードへ戻すには、接続端子７０を一度押して、マイクロコンピュータ４３０に別の単一パルスを加える必要がある。
【００６５】
マイクロコンピュータ４３０が待機モードにある場合に、マイクロコンピュータ４３０は、発光ダイオードＬＥＤ１を点滅することによって、遠隔制御装置８０から信号を受けることのできる状態の範囲外であることを知らせる。
【００６６】
待機モードにあるマイクロコンピュータ４３０は、ユーザーの選択に基いた信号が、バッテリー２００の電力で給電しながら、遠隔制御装置８０を介して入力されるどうかをモニターする。
【００６７】
発振器４３２から伝送されるクロックパルスによって、マイクロコンピュータ４３０は、ユーザーの選択を知って、中間周波数を低周波数にのせるようにして変調される低周波数及び中間周波数信号をパルス出力端子に出力する。
【００６８】
パルス出力端子を介しての変調低周波数及び中間周波数信号出力は、トランジスタＴＲ２と、抵抗Ｒ２と、コンデンサＣ２と、インダクターＬ１とから成る周波数調整ユニット４４０を通して６Ｖの電圧から２５０Ｖの電圧に昇圧される。
【００６９】
２５０Ｖに昇圧される低周波数及び中間周波数信号は、トランジスタＴＲ３〜ＴＲ６及び抵抗Ｒ３〜Ｒ６から成るフリップフロップ回路である周波数出力ユニット４５０を介して交互に出力される。
【００７０】
低周波数及び中間周波数は、それぞれ出力トランジスタＴＲ７、ＴＲ８を介して負および正の電極板５０、５１に交互に供給される。
【００７１】
本発明の低周波数及び中間周波数を用いた電気療法装置は、電源としてバッテリーを用いており、遠隔制御装置によって作動され、また装置のサイズは小さく、それにより電気療法装置を用意に搬送することができる。さらに、図５に示すように、処置の部分及び処置の使用に応じて複数の電気療法装置を用いることができ、それで処置の範囲は相当に広い。さらに、ユーザーは所望の周波数帯域を選択することができ、従って必要な伝記療法を施すことができる。本電気療法装置は、それの出力周波数が自動的に制御できるので、使い易い。
【産業上の利用可能性】
【００７２】
以上説明してきたように、本発明による低周波数及び中間周波数を用いた電気療法装置は、低周波数及び中間周波数を用いた処置を行うので、処置効果を増大するのに有用であり、またアレルギーや脱毛のような不健康な作用に導電性ゴムを用いて光明を投じ、さらに、取り付け可能なパッドは半永久的に用いることができる。
【００７３】
さらに、本発明は、東洋医療処置において広く用いられる空気圧搾法を用いた覆いガラスの効果をもたらす。また、人体に多数の電気療法装置を取り付けて、遠隔制御装置から制御信号を発することにより、線によって生じる不都合を除去し、他人の助けを借りずにユーザーだけで広い範囲に処置を簡単に施すことができる。
【図面の簡単な説明】
【００７４】
【図１】本発明による、低周波数及び中間周波数を用いた電気療法装置の斜視図。
【図２】本発明の電気療法装置の縦断面図。
【図３】本発明の負及び正の電極板の斜視図。
【図４】本発明の周波数発生装置のブロック線図。
【図５】本発明の周波数発生装置の構成を詳細に示す回路線図。
【図６】本発明の周波数発生装置の構成を詳細に示す回路線図。
【図７】人体に取り付けられて使用される状態で本発明の電気療法装置の使用を示す斜視図。
【図１】
2006513751.tif 000003
【図２】
2006513751.tif 000004
【図３】
2006513751.tif 000005
【図４】
2006513751.tif 000006
【図５】
2006513751.tif 000007
【図６】
2006513751.tif 000008
【図７】
2006513751.tif 000009
【国際調査報告】
2006513751.tif 000010
2006513751.tif 000011